(57)【特許請求の範囲】
【請求項１】
燃料を噴射供給するインジェクタと，燃料デリバリ管におけるインジェクタ用接続ソケットとの差し込み接続部に，これらの軸線方向から見てコ字状にした連結部材を，当該連結部材における左右両側面板が前記インジェクタ用接続ソケットにその軸線回りに回転不能に係合するように着脱自在に被嵌して，この連結部材により，前記インジェクタを前記燃料デリバリ管におけるインジェクタ用接続ソケットに対してその軸線回りに自在に回動し得る状態のもとで抜け不能に着脱自在に連結して成るインジェクタの接続装置において，
前記連結部材を，前記インジェクタにおける左右両側のうちこれに着脱自在に接続する通電用コネクタの側から被嵌するように構成する一方，前記通電用コネクタを，当該通電用コネクタを前記インジェクタに接続したとき，所定位置に組み付けた状態の前記連結部材のうち前記両側面板の相互間を繋ぐ基端板に対して，前記インジェクタにおけるその軸線回りの回動を阻止するように近接するか接当する構成にしたことを特徴とする内燃機関におけるインジェクタの接続装置。
【発明の詳細な説明】
【技術分野】
【０００１】
本発明は，燃料噴射式の内燃機関において，燃料を噴射供給するインジェクタ（燃料噴射弁）を，燃料ポンプからの燃料を各気筒に分配するための燃料デリバリ管に対して接続する装置に関するものである。
【背景技術】
【０００２】
従来，内燃機関における燃料噴射用インジェクタの装着は，その先端におけるノズル部を，シリンダヘッド等に設けたインジェクタ装填孔に着脱自在に差し込むことによって接続する一方，その他端における燃料入口部を，前記シリンダヘッドに沿うように配設の燃料デリバリ管に設けたインジェクタ用接続ソケットに対して着脱自在に嵌合することによって接続するという構成にしている。
【０００３】
また，従来は，前記のように装着されたインジェクタにおいて，そのシリンダヘッド等のインジェクタ装填孔への接続部，及び，燃料デリバリ管のインジェクタ用接続ソケットへの接続部における漏洩試験は，前記二つの接続部に対して適宜の内圧を付与した状態で，当該インジェクタをその軸線の回りに適宜角度の範囲内で往復して回動することによって行うようにしている。
【０００４】
先行技術としての特許文献１は，前記インジェクタと，前記燃料デリバリ管におけるインジェクタ用接続ソケットとの差し込み接続部における外側に，これらの軸線方向から見てコ字状にした連結部材を，前記インジェクタにおける左右両側のうちこのインジェクタに対して着脱自在に接続する通電用コネクタとは反対側から当該連結部材が前記インジェクタ用接続ソケットに回転不能に係合するように被嵌して，この連結部材により，前記インジェクタを前記燃料デリバリ管におけるインジェクタ用接続ソケットに対してその軸線回りに自在に回動し得る状態のもとで抜け不能に着脱自在に連結する一方，前記燃料デリバリ管におけるインジェクタ用接続ソケットに設けた突起体を，前記インジェクタに着脱自在に接続した前記通電用コネクタに接当することにより，前記インジェクタを所定の回動位置に回動不能に位置決めするように構成することを提案している。
【特許文献１】特開２００４−１８３５５１号公報
【発明の開示】
【発明が解決しようとする課題】
【０００５】
この先行技術の構成によると，前記インジェクタを前記燃料デリバリ管におけるインジェクタ用接続ソケットに対して前記連結部材にて連結した状態で，前記インジェクタにおける通電用コネクタを取り外したときに，前記インジェクタをその軸線回りに回動することができるから，各接続部における漏洩試験を，インジェクタをその軸線回りに回動しながら行うことができる。
【０００６】
しかし，その反面，前記燃料デリバリ管におけるインジェクタ用接続ソケットに，前記インジェクタを所定の回動位置に回動不能に位置決めするための突起体を一体的に設けるという構成にしているから，前記燃料デリバリ管における構造が，これに前記突起体を設ける分だけ複雑になり，コスト及び重量のアップを招来するという問題がある。
【０００７】
しかも，前記コ字状の連結部材は，インジェクタ用接続ソケットに対して，前記通電用コネクタとは反対側から差し込み被嵌するものであって，前記連結部材における着脱と前記通電用コネクタの着脱とが相対的に関連していないことにより，前記連結部材を所定位置に完全に組み付けることができない状態のままで，前記通電用コネクタの接続が可能であり，換言すると，前記インジェクタをシリンダヘッド等におけるインジェクタ装填孔及び燃料デリバリ管におけるインジェクタ用接続ソケットの両方に対する接続が前記連結部材にて完全な状態に保持することができないままで，前記通電用コネクタを接続して内燃機関の運転に入ることが可能になるか，或いは，前記通電用コネクタを接続したままで，前記連結部材を取り外して内燃機関の運転に入ることが可能になるから，燃料漏れが発生するおそれがあるという問題もあった。
【０００８】
本発明は，これらの問題を解消したインジェクタの接続装置を提供することを技術的課題とするものである。
【課題を解決するための手段】
【０００９】
この技術的課題を達成するため本発明は，
「燃料を噴射供給するインジェクタと，燃料デリバリ管におけるインジェクタ用接続ソケットとの差し込み接続部に，これらの軸線方向から見てコ字状にした連結部材を，当該連結部材における左右両側面板が前記インジェクタ用接続ソケットにその軸線回りに回転不能に係合するように着脱自在に被嵌して，この連結部材により，前記インジェクタを前記燃料デリバリ管におけるインジェクタ用接続ソケットに対してその軸線回りに自在に回動し得る状態のもとで抜け不能に着脱自在に連結して成るインジェクタの接続装置において，
前記連結部材を，前記インジェクタにおける左右両側のうちこれに着脱自在に接続する通電用コネクタの側から被嵌するように構成する一方，前記通電用コネクタを，当該通電用コネクタを前記インジェクタに接続したとき，所定位置に組み付けた状態の前記連結部材のうち前記両側面板の相互間を繋ぐ基端板に対して，前記インジェクタにおけるその軸線回りの回動を阻止するように近接するか接当する構成にした。」
ことを特徴としている。
【発明の効果】
【００１０】
前記した構成によると，前記通電用コネクタのインジェクタに対する接続は，前記連結部材を，所定位置に完全に組み付けたときにおいて可能になるから，前記先行技術のように，前記連結部材の所定位置への完全な組み付けができていない状態のままで，前記通電用コネクタをインジェクタに接続して内燃機関の運転ができるようになることを確実に阻止することができる。
【００１１】
また，前記した構成によると，前記連結部材は，前記通電用コネクタをインジェクタから引き抜かない限り，取り外すことができないから，前記先行技術のように，前記通電用コネクタを接続したままで前記連結部材を取り外して内燃機関の運転ができるようになることを確実に阻止することができる。
【００１２】
しかも，前記燃料デリバリ管におけるインジェクタ用接続ソケットに回転不能に係合する前記連結部材にて，前記インジェクタを所定の回動位置に回動不能に位置決めすることができることにより，前記先行技術のように，前記インジェクタ用接続ソケットに回転阻止用の突起体を設けることを省略できるから，燃料デリバリ管における形状の簡単化及び軽量化を図ることができる。
【発明を実施するための最良の形態】
【００１３】
以下，本発明の実施の形態を，図１〜図４の図面について説明する。
【００１４】
これらの図おいて，符号１は，内燃機関における各気筒の各々に対して燃料を噴射供給するためのインジェクタを示し，このインジェクタ１の下端におけるノズル部１ａは，これにシール用の弾性体リング２を被嵌した状態で，内燃機関のシリンダヘッド３におけるインジェクタ装填孔３ａの内部に着脱自在に差し込むことによって接続されている。
【００１５】
また，インジェクタ１の上端における燃料入口部１ｂは，これにシール用の弾性体リング４を被嵌した状態で，前記シリンダヘッド３等に取付けられる燃料デリバリ管５に一体に設けたインジェクタ用接続ソケット６の内部７に着脱自在に差し込むことによって接続されている。
【００１６】
更にまた，前記インジェクタ１における一方の側面には，図示しない制御回路装置に繋がる通電用コネクタ８を着脱自在に接続するようにした配線接続用受けコネクタ１ｃが，その軸線を前記インジェクタ１における軸線１ｄに対して斜め上向きに傾斜するようにして一体に設けられている。
【００１７】
符号９は，弾性を有する金属板にて，前記インジェクタ１における軸線１ｄの方向から見てコ字状に構成した連結部材を示し，この連結部材９は，前記燃料デリバリ管５におけるインジェクタ用接続ソケット６の外側に，図２及び図３に矢印Ａで示すように，前記インジェクタ１における左右両側のうち前記配線接続用受けコネクタ１ｃの側から，当該連結部材９における左右両側面板９ａ，９ｂが前記インジェクタ用接続ソケット６の外周面に接触するように着脱自在に被嵌されている。
【００１８】
この連結部材９は，図３に示すように，その左右両側面板９ａ，９ｂに穿設した係合孔１０，１１に，前記インジェクタ用接続ソケット６から一体に突出する突起片１２，１３を着脱自在に嵌まり係合することにより，前記インジェクタ用接続ソケット６に対して回転不能に係合している。
【００１９】
また，前記連結部材９における左右両側面板９ａ，９ｂに内向きに折り曲げて設けた係合片１４，１５を，図２に示すように，前記インジェクタ１の外周面に設けた環状溝１６に回転自在に嵌まり係合することにより，前記連結部材９により，前記インジェクタ１を前記インジェクタ用接続ソケット６に対して，当該インジェクタ１における軸線１ｄの回りに自在に回動し得る状態のもとで抜け不能に着脱自在に連結するという構成にしている。
【００２０】
そして，前記インジェクタ１における配線接続用受けコネクタ１ｃに前記通電用コネクタ８を差し込み接続したとき，この通電用コネクタ８が，前記連結部材９において左右両側面板９ａ，９ｂの相互間を繋ぐ基端板９ｃに対して，前記インジェクタ１におけるその軸線回りの回動を阻止するように近接するか，又は接当するという構成にしている。
【００２１】
なお，前記連結部材９における前記インジェクタ用接続ソケット６に対する矢印Ａからの着脱自在な被嵌を容易にすることのために，図２及び図３に示すように，当該連結部材９における両側面板９ａ，９ｂの先端部９ａ′，９ｂ′は外向きに折り曲げられ，その係合片１４，１５の入口端部は外向きに傾斜面１４′，１５′に形成され，更に，前記インジェクタ用接続ソケット６における両突起片１２，１３には傾斜状のガイド面１２′，１３′が設けられている。
【００２２】
この構成において，前記インジェクタ１における配線接続用受けコネクタ１ｃから通電用コネクタ８を引き抜いた状態では，前記インジェクタ１はその軸線１ｄの回りに自在に回動することができるから，このインジェクタ１におけるシリンダヘッド３のインジェクタ装填孔３ａ及び燃料デリバリ管５のインジェクタ用接続ソケット６への差し込み接続部における漏洩試験を，前記インジェクタ１をその軸線回りに回動しながら行うことができる。
【００２３】
そして，前記インジェクタ１における配線接続用受けコネクタ１ｃに対して通電用コネクタ８を差し込み接続することにより，この通電用コネクタ８が，前記連結部材９において両側面板９ａ，９ｂを繋ぐ基端板９ｃに対して，近接するか，又は接当することにより，前記インジェクタ１を所定の回動位置に回動不能に位置決めすることができる。
【００２４】
また，前記通電用コネクタ８のインジェクタ１における配線接続用受けコネクタ１ｃに対する差し込み接続は，前記連結部材９を，所定位置に完全に組み付けたときにおいて可能になるのであり，一方，前記連結部材９は，前記通電用コネクタ８をインジェクタ１における配線接続用受けコネクタ１ｃから引き抜かない限り，取り外すことができないのである。
【００２５】
なお，前記図示の実施の形態は，前記連結部材９における両側面板９ａ，９ｂに穿設した係合孔１０，１１に，前記インジェクタ用接続ソケット６から一体に突出した突起片１２，１３を着脱自在に嵌まり係合することによって，前記連結部材９を前記インジェクタ用接続ソケット６に対して回転不能に係合するように構成した場合であったが，前記連結部材９における両側面板９ａ，９ｂに突起片を一体に設け，この突起片を，前記インジェクタ用接続ソケット６に設けた孔又は凹所に着脱自在に嵌まり係合することによって，前記連結部材９を前記インジェクタ用接続ソケット６に対して回転不能に係合するように構成することができる。
【００２６】
また，前記図示の実施の形態は，前記連結部材９における両側面板９ａ，９ｂに一体に設けた係合片１４，１５を，前記インジェクタ１の外周面に設けた環状溝１６に回転自在に嵌まり係合することにより，前記インジェクタ１を前記インジェクタ用接続ソケット６に対して，当該インジェクタ１における軸線１ｄの回りに自在に回動し得る状態のもとで抜け不能に着脱自在に連結するという構成にした場合であったが，前記連結部材９における両側面板９ａ，９ｂに係合孔を穿設し，この係合孔内に，前記インジェクタ１の外周面に一体に設けた環状突起を回転自在に嵌まり係合することにより，前記インジェクタ１を前記インジェクタ用接続ソケット６に対して，当該インジェクタ１における軸線１ｄの回りに自在に回動し得る状態のもとで抜け不能に着脱自在に連結するという構成にすることができる。
【００２７】
更にまた，前記図示の実施の形態は，前記インジェクタ１における燃料入口部１ｂを，燃料デリバリ管５におけるインジェクタ用接続ソケット６の内部７に着脱自在に差し込み接続する場合であったが，前記インジェクタ用接続ソケット６の方を，前記インジェクタ１における燃料入口部１ｂの内部に着脱自在に差し込み接続するように構成しても良いことはいうまでもない。
【図面の簡単な説明】
【００２８】
【図１】実施の形態を示す一部切欠正面図である。
【図２】図１のII−II視断面図である。
【図３】図１のIII −III 視断面図である。
【図４】図１のIV−IV視断面図である。
【符号の説明】
【００２９】
１                        インジェクタ
１ｃ                      インジェクタにおける配線接続用受けコネクタ
１ｄ                      インジェクタの軸線
３                        シリンダヘッド
３ａ                      シリンダヘッドにおけるインジェクタ装填孔
５                        燃料デリバリ管
６                        燃料デリバリ管におけるインジェクタ用接続ソケット
８                        通電用コネクタ
９                        連結部材
【図１】
0004510741.tif 000002
【図２】
0004510741.tif 000003
【図３】
0004510741.tif 000004
【図４】
0004510741.tif 000005